(57)【要約】【課題】防塵機能を有する飛び出し式集線装置を提供する。【解決手段】ベース２０の第１の係合部材２２と集線本体３０の第２の係合部材３２とが離脱すると、ベースと集線本体との間に設けられた弾性部材４０の弾性作用力によって集線本体がベースから離れる方向へ枢転され、集線本体に設けられている転送コンセント３１１が露出する。しかも、第１の係合部材と第２の係合部材とが係止される場合、集線本体がベースの中空部に収容されることで、集線装置が外力からの衝撃を受けることによって転送コンセントが損傷することが回避され、塵が転送コンセントの電気的接合面に被覆して電気的接続が不良となることが防止される。【選択図】図２
0003134129.tif 000002
【実用新案登録請求の範囲】
【請求項１】
中空部を有し、一端側に第１の係合部材が設けられているベースと、
前記ベースに枢着され、作用表面および第２の係合部材を有し、前記作用表面に少なくとも１つ以上の転送コンセントが設けられており、前記第１の係合部材に係着され前記中空部に収容されるように前記第２の係合部材の設置位置が前記ベースの第１の係合部材に対応している集線本体と、
前記ベースと前記集線本体との間に設けられ、前記第１の係合部材が前記第２の係合部材より離脱した場合、弾性作用力によって前記集線本体を前記ベースより離れる方向へ枢転させて前記作用表面を露出させる弾性部材と、
を備えることを特徴とする集線装置。
【請求項２】
前記集線本体には、前記集線本体に必要な電源を供給するための電源接続ポートがさらに設けられていることを特徴とする、請求項１に記載の集線装置。
【請求項３】
前記集線本体には、コンピュータ装置に接続されるためのコンピュータ接続ポートがさらに設けられていることを特徴とする、請求項１に記載の集線装置。
【請求項４】
前記第１の係合部材と前記第２の係合部材とは、それぞれスロット、突起部材およびスプリングより構成されていることを特徴とする、請求項１に記載の集線装置。
【請求項５】
前記第１の係合部材と前記第２の係合部材とは、それぞれ弾性フックおよびスロットより構成されていることを特徴とする、請求項１に記載の集線装置。
【請求項６】
前記弾性部材が、スプリングおよびねじりばねのいずれか一つであることを特徴とする、請求項１に記載の集線装置。
【請求項７】
前記転送コンセントは、ＵＳＢコネクタの転送コンセントであることを特徴とする、請求項１に記載の集線装置。
【考案の詳細な説明】
【技術分野】
【０００１】
本考案は集線装置に係り、より詳しくは飛び出し式の集線装置に関する。
【背景技術】
【０００２】
電子技術や情報技術が日ごとに進歩しているなかで、パソコンやノートパソコンにおいて周辺装置をより多く接続できるために、ユーザは、１対多数のユニバーサル・シリアル・バス（Ｕｎｉｖｅｒｓａｌ  Ｓｅｒｉａｌ  Ｂｕｓ；ＵＳＢ）であるハブによって周辺装置の拡充措置を取る必要がある。
【０００３】
従来の集線装置の立体図を模式的に図１に示す。図に示すように、集線装置１０は、第１の作用表面１１と第２の作用表面１２とを有し、第１の作用表面１１には周辺装置の拡充として電気的に接続するための電気的接続ポートソケット１１０（例えばＵＳＢである転送コンセント）が複数設けられ、第２の作用表面１２にはコンピュータに接続されるためのコンピュータ接続ポートソケット１２０および電源信号源に接続されるための電源接続ポートソケット１２１が設けられている。
【０００４】
しかし、上記の従来の集線装置１０では、第１の作用表面１１の電気的接続ポートソケット１１０が外部に露出されているため、長く使用されれば、空気中の塵が電気的接続ポートソケット１１０の電気的接合面を被覆しやすくなり、周辺装置との接続不良となることがあるため、コンピュータ装置と周辺装置との接続ができなくなり、使用上の不便となることがあった。さらに、集線装置１０が地面に落ちたり外力からの衝撃を受けた場合、外部に露出されている電気的接続ポートソケット１１０が損傷しやすくなるため、周辺装置の拡充ができなくなることもあった。
【０００５】
電気的接続ポートの保護や防塵の機能を有する集線装置の提供は、業界において極めて解決すべき課題である。
【考案の開示】
【考案が解決しようとする課題】
【０００６】
そこで、以上のとおりの事情に鑑み、本考案は、防塵機能を有する飛び出し式集線装置を提供することを目的とする。
また、本考案は、転送コンセントを外力からの衝撃から保護する集線装置を提供することを目的とする。
【課題を解決するための手段】
【０００７】
上記の課題を解決するために、本考案に係る集線装置は、ベース、集線本体及び弾性部材により構成され、ベースが中空部を有し、ベースの一端側には第１の係合部材が設けられている。
【０００８】
集線本体は、ベースに枢着され、作用表面及び第２の係合部材を有しており、作用表面には少なくとも１つ以上の転送コンセント（例えばＵＳＢコネクタの転送コンセント）が設けられており、第１の係合部材に係着されるように、集線本体における第２の係合部材の設置位置がベースの第１の係合部材に対応している。また、集線本体には、集線本体に必要な電源を供給するための電源接続ポートと、コンピュータに接続されるためのコンピュータ接続ポートがさらに設けられている。
【０００９】
弾性部材がベースと本体との間に設けられ、第１の係合部材が第２の係合部材から離脱した場合、弾性部材の弾性作用力によって集線本体がベースから離れる方向へ枢転され、作用表面の転送コンセントが露出される。
【００１０】
本考案に係る集線装置は、ベースの第１の係合部材または集線本体の第２の係合部材を直接に押圧することで第１の係合部材と第２の係合部材とを離脱させるとともに、ベースと集線本体との間に設けられた弾性部材の弾性作用力によって集線本体がベースから離れる方向へ枢転され、作用表面の転送コンセントが露出される。第１の係合部材と第２の係合部材とが係止される場合、集線本体がベースの中空部に収容されることにより、集線本体がベースに収容される。これによって、集線装置が外力からの衝撃を受けることが回避され、塵が転送コンセントの電気的接合面に被覆されることによって電気的接続が不良となることが防止される。
【考案を実施するための最良の形態】
【００１１】
下記は特定の具体実施例によって本考案の実施方式を説明する。明細書に記載の内容によってこの技芸に習熟した者は簡単に本考案のその他の利点や効果を理解できる筈である。本考案に係る実質的な技術内容は、広汎に実用新案登録請求の範囲内に定義される。また、本考案は図示の実施の形態に限定されるものではなく、本考案の技術思想の範囲内で数々の変更態様が可能であることは言うまでもない。
【００１２】
本考案に係る集線装置の断面及びその実施態様を模式的に図２、図３Ａ及び図３Ｂに示す。図に示すように、本考案に係る集線装置は、ベース２０、集線本体３０及び弾性部材４０により構成され、これにより、集線本体３０がベースに収容され、集線本体３０が外力からの衝撃を受けることが回避され、防塵の効果が図られる。
【００１３】
ベース２０が集線本体３０を収容するための中空部２１を有し、ベース２０に第１の係合部材２２が設けられている。
【００１４】
集線本体３０がベース２０に枢着され、作用表面３１及び第２の係合部材３２を有し、作用表面３１には少なくとも１つ以上の転送コンセント３１１が設けられ、転送コンセント３１１がＵＳＢコネクタの転送コンセントであってよく、第１の係合部材２２に係着されるように、集線本体３０における第２の係合部材３２の設置位置は、ベース２０の第１の係合部材２２に対応している。
【００１５】
集線本体３０には、さらに、それぞれ集線本体に必要な電源を供給するための電源接続ポート３１２と、コンピュータに電気的に接続されるためのコンピュータ接続ポート３１３とが設けられている。
【００１６】
弾性部材４０は、ベース２０と集線本体３０との間に設けられ、スプリング又はねじりばね等であってよく、第１の係合部材２２が第２の係合部材３２から離脱した場合、弾性部材４０の弾性作用力によって集線本体３０がベース２０から離れる方向へ枢転され、作用表面３１の転送コンセント３１１が露出される。
【００１７】
また、ここで注意すべきことは、第１の係合部材２２及び第２の係合部材３２が必要に応じて変化することができ、例えばスロット、突起部材およびスプリング、または弾性フックおよびスロットから選択されてもよく、図面に開示されるものに限定されるものではない。
【００１８】
本実施形態において、第１の係合部材２２はスロットであり、第２の係合部材３２が突起部材およびスプリングにより構成され、弾性部材４０がねじりばねである。
【００１９】
実施において、使用者は、ベース２０の第１の係合部材２２又は集線本体３０の第２の係合部材３２を直接押圧し、第１の係合部材２２が第２の係合部材３２より離脱した場合、ベース２０と集線本体３０との間に設けられた弾性部材の弾性作用力によって集線本体３０がベースから離れる方向へ枢転し、作用表面３１の転送コンセント３１１が露出されることで、接続ポートの拡充が図られる。
【００２０】
さらに、使用者は、集線本体を下へ押圧することで、第１の係合部材２２と第２の係合部材３２とが係止されて、集線本体３０がベース２０の中空部２１に収容される。これにより、集線装置が外力からの衝撃を受けることによって作用表面の転送コンセント３１１が損傷することが回避され、塵が転送コンセント３１１の電気的接合面に被覆されることによって電気的接続が不良となることが防止される。
【００２１】
本考案に係る集線装置は、ベースの第１の係合部材と集線本体の第２の係合部材とが離脱した場合、ベースと集線本体との間に設けられた弾性部材の弾性作用力により、集線本体がベースより離れる方向へ枢転され、集線本体に設けられた転送コンセントが露出される。しかも、第１の係合部材と第２の係合部材とが係止され、集線本体がベースの中空部に収容されることで、集線本体が収容される。これにより、集線装置が外力からの衝撃を受けることによって作用表面の転送コンセントが損傷することが回避され、塵が転送コンセントの電気的接合面に被覆されることによって電気的接続が不良となることが防止される。
【００２２】
以上、本考案を実施の形態をもとに説明したが、本考案の技術的範囲は上記実施の形態に記載の範囲には限定されない。上記実施の形態は例示であり、それらの各構成要素の組み合わせに、さらにいろいろな変形例が可能なこと、またそうした変形例も本考案の範囲に包含されることは当業者に理解されるところである。
【図面の簡単な説明】
【００２３】
【図１】従来の集線装置の立体図を模式的に示す。
【図２】本考案に係る集線装置の断面を模式的に示す。
【図３Ａ】本考案に係る集線装置の実施態様を模式的に示す。
【図３Ｂ】本考案に係る集線装置の実施態様を模式的に示す。
【符号の説明】
【００２４】
１０  集線装置
１１  第１の作用表面
１１０  接続ポートソケット
１２  第２の作用表面
１２０  コンピュータ接続ポートソケット
１２１  電源接続ポートソケット
２０  ベース
２１  中空部
２２  第１の係合部材
３０  集線本体
３１  作用表面
３１１  転送コンセント
３１２  電源接続ポート
３１３  コンピュータ接続ポート
３２  第２の係合部材
４０  弾性部材
【図１】
0003134129.tif 000003
【図２】
0003134129.tif 000004
【図３Ａ】
0003134129.tif 000005
【図３Ｂ】
0003134129.tif 000006